(57)【要約】【課題】投影する映像の情報を重畳するプロジェクタ光源変調装置において、光源輝度変調を用いた情報の重畳により発生するフリッカーを人間に感じさせることを防止する。【解決手段】プロジェクタ光源変調装置は、投影する映像に、通信用変調コードに含まれる通信情報を光源輝度変調により重畳するプロジェクタ光源変調装置であって、入力された複数のサブフレームからなる１フレームの映像信号において、プロジェクタ光源変調装置から映像光が投射されるタイミングを、表示映像中の隣接したピクセルの間で異なるサブフレームに分散するよう補正する補正処理を行うことで補正映像信号を生成して出力する時間軸方向偏り補正回路と、補正映像信号に従って、光源部からの出力光をオン／オフ変調する光変調素子とを備える。【選択図】図１
2019220920.tif 000002
【特許請求の範囲】
【請求項１】
投影する映像に、通信用変調コードに含まれる通信情報を光源輝度変調により重畳するプロジェクタ光源変調装置であって、
入力された複数のサブフレームからなる１フレームの映像信号において、プロジェクタ光源変調装置から映像光が投射されるタイミングを、表示映像中の隣接したピクセルの間で異なるサブフレームに分散するよう補正する補正処理を行うことで補正映像信号を生成して出力する時間軸方向偏り補正回路と、
前記補正映像信号に従って、光源部からの出力光をオン／オフ変調する光変調素子とを備える、
プロジェクタ光源変調装置。
【請求項２】
前記複数のサブフレームの各々は、それぞれ複数の分割セグメントフレームからなる複数のセグメントフレームを含み、
前記時間軸方向偏り補正回路は、次式の演算式を用いて、所定の時間軸偏り値を演算し、演算された時間軸偏り値が最小のセグメントフレームを次のフレームにおいてピクセルの表示に用いるセグメントフレームとして選択するように補正処理を実行する、
更新後の時間軸偏り値
＝（前のフレームの映像データ処理後の対応する時間軸偏り値）
＋（処理フレームの対応するセグメントフレームで表示される分割セグメントフレーム時間）
−（処理フレームの各セグメントフレームで表示される分割セグメントフレーム時間の平均）
請求項１に記載のプロジェクタ光源変調装置。
【請求項３】
前記光源部は、
半導体レーザーと、
前記通信用変調コードを含む駆動信号に従って半導体レーザーを駆動する半導体レーザー駆動回路と、
前記半導体レーザーからの出力光を、変換特性を順次切り替えて複数の色光に変換して出力する時分割切り替え波長変換素子とを備える、
請求項１又は２に記載のプロジェクタ光源変調装置。
【請求項４】
前記光源部は、
互いに異なる各色光を発光する複数の色光源と、
前記通信用変調コードを含む駆動信号に従って、前記複数の色光源を選択的に駆動する光源駆動回路とを備える、
請求項１又は２に記載のプロジェクタ光源変調装置。
【請求項５】
請求項１〜４のうちのいずれか１つに記載のプロジェクタ光源変調装置を備える、
投写型映像表示装置。
【発明の詳細な説明】
【技術分野】
【０００１】
本開示は、映像を投影するプロジェクタの光源輝度変調によって、投影する映像に情報を重畳するプロジェクタ光源変調装置及びそのプロジェクタ光源変調装置を用いたプロジェクタに関する。
【背景技術】
【０００２】
特許文献１は、映像のフレームを複数のサブフレームに分割して輝度変調を行う映像表示装置によって表示される映像に、情報を重畳する映像表示方法を開示する。この映像表示方法は、輝度変調を行う複数のサブフレームのうち、少なくとも１つのサブフレームにおいて光源部をオン／オフ強度変調して情報を重畳するとともに、そのサブフレームにおける映像の輝度を、情報の重畳により輝度が低下することを考慮した値とする。これにより映像表示において、情報を重畳するサブフレームにおける表示映像の輝度低下を補正した良好な階調表現が可能となる。
【先行技術文献】
【特許文献】
【０００３】
【特許文献１】特許第５６０８８３４号公報
【発明の概要】
【発明が解決しようとする課題】
【０００４】
本開示は、投影する映像の情報を重畳するプロジェクタ光源変調装置において、光源輝度変調を用いた情報の重畳により発生するフリッカーを人間に感じさせることを防止できるプロジェクタ光源変調装置及び、そのプロジェクタ光源変調装置を用いた投写型映像表示装置を提供する。
【課題を解決するための手段】
【０００５】
本開示の一態様に係るプロジェクタ光源変調装置は、入力された複数のサブフレームからなる１フレームの映像信号において、プロジェクタ光源変調装置から映像光が投射されるタイミングを、表示映像中の隣接したピクセルの間で異なるサブフレームに分散するよう補正する補正処理を行うことで補正映像信号を生成して出力する時間軸方向偏り補正回路と、補正映像信号に従って、光源部からの出力光をオン／オフ変調する光変調素子とを備える。
【発明の効果】
【０００６】
従って、本開示におけるプロジェクタ光源変調装置によれば、光源輝度変調を用いた情報の重畳により発生するフリッカーを人間に感じさせることなく、投影する映像に情報を重畳することができる。
【図面の簡単な説明】
【０００７】
【図１】実施の形態１におけるプロジェクタ光源変調装置の構成例を示すブロック図
【図２】図１の輝度の時間軸方向偏り補正回路に入力される映像信号の模式図
【図３】従来技術によるプロジェクタ光源変調装置の動作を説明するためのタイミングチャート
【図４】図１のプロジェクタ光源変調装置の動作を説明するためのタイミングチャート
【図５】図１の実施の形態１における輝度の時間軸方向偏り補正回路により実行される輝度の時間軸方向偏り補正処理を示すフローチャート
【図６】実施の形態２におけるプロジェクタ光源変調装置の構成例を示すブロック図
【発明を実施するための形態】
【０００８】
以下、適宜図面を参照しながら、実施の形態を詳細に説明する。ただし、例えば既によく知られた事項の詳細説明や実質的に同一の構成に対する重複説明など、必要以上に詳細な説明は省略する場合がある。これは、以下の説明が必要以上に冗長になるのを避け、当業者の理解を容易にするためである。
【０００９】
なお、発明者は、当業者による本開示の十分な理解を助けるために添付図面および以下の説明を提供するのであって、これらによって特許請求の範囲に記載の主題を限定することを意図するものではない。
【００１０】
（実施の形態１）
以下、図１〜図５を参照して、実施の形態１を説明する。
【００１１】
［１−１．構成］
図１は本開示の実施の形態１におけるプロジェクタ光源変調装置の構成を示すブロック図である。図１に示すように、実施の形態１におけるプロジェクタ光源変調装置は、光源部１００Ａと、光変調素子１１０と、投射レンズ１２０と、通信用変調器１３０と、変調信号発生回路１４０と、輝度の時間軸方向偏り補正回路１５０を備えて構成される。光源部１００Ａは半導体レーザー駆動回路１０１と、半導体レーザー１０２と、時分割切り替え波長変換素子１０３から構成される。輝度の時間軸方向偏り補正回路１５０はメモリ１５１を含む。
【００１２】
本開示におけるプロジェクタ光源変調装置は、カメラ等の撮像装置を備えた例えばスマートホン等の電子機器が重畳された情報を読み取ることが可能な映像を、投影するプロジェクタの光源輝度変調によって生成することで、プロジェクタの表示映像及び通信情報の間に関連づけを行う装置である。ここで、当該プロジェクタ光源変調装置は、特に、投影する映像の情報を重畳するプロジェクタ光源変調装置において、光源輝度変調を用いた情報の重畳により発生するフリッカーを人間に感じさせることを防止するために、輝度の時間軸方向偏り補正回路１５０を備えることを特徴とする。
【００１３】
輝度の時間軸方向偏り補正回路１５０は、図５に示すように、メモリ１５１に格納された時間軸偏り値に基づいて演算を行い、隣り合うピクセル同士において、プロジェクタ光源変調装置から映像光を投射するタイミングを異なるサブフレームに分散するように、入力された映像信号を補正して、補正された映像信号（以下、補正映像信号という）を出力する。変調信号発生回路１４０は、垂直同期信号に同期して前記補正映像信号に従って変化するように、光をオン／オフで強度変調する変調信号を発生して光変調素子１１０に出力する。また、変調信号発生回路１４０は、垂直同期信号に同期して補正映像信号に基づいて、情報を重畳するタイミングを示すタイミング信号を通信用変調器１３０に出力する。通信用変調器１３０は、前記タイミング信号のタイミングで、入力される通信用変調コードに従って光源をオン／オフ変調するための駆動信号を発生して光源部１００Ａの半導体レーザー駆動回路１０１に出力する。
【００１４】
半導体レーザー駆動回路１０１は、通信用変調器１３０からの、光源をオン／オフ変調するための駆動信号に従って、半導体レーザー１０２をオン／オフ制御することで駆動する。当該駆動に応答して、半導体レーザー１０２はレーザー光を、時分割切り替え波長変換素子１０３を介して光変調素子１１０に出力する。時分割切り替え波長変換素子１０３は、入力された垂直同期信号に同期して波長変換の特性を順次選択的に切り替えて、半導体レーザー１０２の出力レーザー光の例えば青色光を、例えば赤色又は緑色の光に順次変換することで、そのまま出力する青色と、変換された赤色と、変換された緑色との出力光を順次選択的に、光変調素子１１０に出力する。光変調素子１１０は、変調信号発生回路１４０からの変調信号に従って、時分割切り替え波長変換素子１０３からの出力光をオン／オフ変調することで映像光を生成し、投射レンズ１２０を介してスクリーン１６０に投射することにより、スクリーン１６０上に映像１６１を表示する。
【００１５】
図２は、輝度の時間軸方向偏り補正回路１５０に入力される１フレームの映像信号の模式図である。図２において、実線の長方形は映像信号２００の全体を示し、その内側に縦横に並んだ円は各々が１つのピクセル２０１を示し、破線で囲われた部分は隣接する３ピクセルＹ，Ｘ，Ｚの組２０２の例を示す。あるフレームにおいて、映像信号２００の各ピクセル２０１には各サブフレームにおける各色に対応する輝度情報が含まれる。
［１−２．動作］
【００１６】
以上のように構成された図１のプロジェクタ光源変調装置について、その動作を以下で説明する。なお、本実施の形態では、赤色の映像の表示時において情報を重畳しているが、緑色又は青色の映像の表示時において情報を重畳してもよい。また、輝度の時間軸方向偏り補正回路１５０は、赤色の映像の表示時において輝度の時間軸方向偏り補正を行っているが、緑色又は青色の映像の表示時において輝度の時間軸方向偏り補正を行ってもよい。
【００１７】
本実施の形態にかかる輝度の時間軸方向偏り補正の意義について以下に説明する。
【００１８】
ある広い面積を持つ領域について、表示する映像の輝度が時間とともに周期的に変化する場合を考える。この場合、長い時間で平均した輝度に対する、輝度の変化の振幅の比が、あるしきい値よりも大きい場合に、人間の目はフリッカーを検知する。このしきい値は周波数によって変化する。例えば輝度の変化の周波数が６０Ｈｚの場合、輝度の変化の最大振幅が表示映像の平均輝度の約３０％を越えるならば、人間の目がフリッカーを検知する。また、輝度の変化の周波数が５０Ｈｚの場合、輝度の変化の最大振幅が表示映像の平均輝度の約１０％を越えるならば、人間の目がフリッカーを検知する。さらに、輝度の変化の周波数が約１００Ｈｚより高い場合、人間の目でフリッカーを検知することはほぼ不可能である。
【００１９】
映像の広い面積の領域の各ピクセルにおける輝度が同一の変化を行う場合、その映像の広い面積の領域で平均した輝度も同一の変化を示す。映像の広い面積の領域で平均した輝度が周期的な変化を持ち、その広い面積の領域において長い時間で平均した映像の輝度に対する周期的な変化の振幅の比が、上記のしきい値よりも大きい場合、人間の目はその周期的な輝度変化を広い面積のフリッカーとして検知する。一方、輝度の変化が狭い面積の領域で発生していても、人間がそれをフリッカーとして感じることはない。
【００２０】
従って、広い面積で平均した輝度の周期的な変化の周波数を１００Ｈｚより大きくできれば、人間がフリッカーを感じないように映像を表示することが可能である。なお、この実施の形態１において、「狭い面積の領域」は１ピクセルのみを含む領域を、「広い面積の領域」は隣接する３ピクセルの組２０２を含む領域を指す。
【００２１】
図３に、垂直同期信号の周波数が６０Ｈｚのときの、従来技術によるプロジェクタ光源変調装置の動作を表したタイミングチャートを示す。図３では、光源変調による情報重畳を行わない場合と、従来のフリッカー対策をしない方法における光源変調による情報重畳を赤色に割り当てられた期間にのみ行う場合のタイミングチャートを示している。
【００２２】
図３において、横軸は時間を示し、グラフの右方向への移動は時間が経過することを示す。垂直同期信号の連続する２つの立ち下がりの間の期間が１フレームに対応する。１フレームの時間幅は１／６０秒である。１フレームは３つのサブフレームに分割され、サブフレームごとに１画面の映像がプロジェクタ光源変調装置により投影される。１サブフレームの時間幅は１／１８０秒である。
【００２３】
また、各サブフレームはさらに３つのセグメントフレームＳＧＦに分割されている。各サブフレームの３つのセグメントフレームＳＧＦはそれぞれ順に赤色Ｒ、緑色Ｇ、青色Ｂを表示色として割り当てられている。つまり１フレームは、
（１）３つの赤色Ｒを表示色として割り当てられたセグメントフレームＳＧＦ、
（２）３つの緑色Ｇを表示色として割り当てられたセグメントフレームＳＧＦ、及び
（３）３つの青色Ｂを表示色として割り当てられたセグメントフレームＳＧＦの、
計９つのセグメントフレームＳＧＦを含む。セグメントフレームＳＧＦの各々はさらに複数の分割セグメントフレームに分割されている。
【００２４】
図３の「情報重畳なしの場合の光出力期間」（矩形で表す）において、光源部１００Ａ及び光変調素子１１０の両方がオンになり、プロジェクタ光源変調装置から映像光が投射されることを示す。また、「情報重畳ありの場合の光出力期間（フリッカー対策なし）」（パルス変調された矩形で示す）において、情報を重畳した映像を表示するための映像光がプロジェクタ光源変調装置から投射されることを示す。
【００２５】
表示映像に情報を重畳するためには、情報の重畳に必要な連続する時間幅において光変調素子１１０をオンにする。ここで。情報を重畳するために光変調素子１１０をオンにする必要がある時間幅は、図３における「情報重畳ありの場合の光出力期間（フリッカー対策なし）」のタイミングに示されるように、１つのセグメントフレームＳＧＦのほぼ全体を占める程度に長いため、そのセグメントフレームにおいて光変調素子１１０をオンにすると、同じフレームにおける他の２つのセグメントフレームでプロジェクタ光源変調装置が光を投射する時間幅は０となる。従って、６０Ｈｚの周波数で輝度が偏った映像光が投射され、それによりスクリーン１６０に投影された映像１６１を見る人間はフリッカーを感じる。
【００２６】
図４に、垂直同期信号の周波数６０Ｈｚのときの、実施の形態１におけるプロジェクタ光源変調装置の動作を表したタイミングチャートを示す。図４では、図３の従来のフリッカー対策をしない方法における光源変調を行う場合のタイミングチャートに代えて、実施の形態１における輝度の時間軸方向偏り補正処理を実行した上で光源変調による情報重畳を行う場合のタイミングチャートを示す。
【００２７】
まず、当該フレームの３つのセグメントフレームを、セグメントフレームのグループＣ１、Ｃ２、Ｃ３に順に分類する。隣接する３つのピクセルＹ、Ｘ、Ｚの表示が各セグメントフレームのグループに分散していると、３つのピクセルで平均した輝度は３つのセグメントフレームで等しくなるため、その平均した輝度の繰り返し周期は１８０Ｈｚとなり、人間の目で検知できなくなる。これが映像信号中のいずれの隣接する３ピクセルについても成り立つようにすれば、人間にフリッカーを感じさせない映像が表示される。このような映像の表示を行うために、輝度の時間軸方向偏り補正回路１５０は、以下の輝度の時間軸方向偏り補正処理を実行する。
【００２８】
図５は、図１の輝度の時間軸方向偏り補正回路１５０により実行される輝度の時間軸方向偏り補正処理を示すフローチャートである。まず、図５のステップＳ４において用いる時間軸偏り値を更新するための演算式は以下の通りである。なお、第１のセグメントフレーム、第２のセグメントフレーム及び第３のセグメントフレームは、それぞれセグメントフレームのグループＣ１、Ｃ２及びＣ３に属するセグメントフレームを示す。
【００２９】
更新後の第１時間軸偏り値ｄ１’
＝（前のフレームの輝度の時間軸方向偏り補正処理後の第１時間軸偏り値ｄ１）
＋（処理フレームの第１のセグメントフレームで表示される分割セグメントフレーム時間）
−（処理フレームの各セグメントフレームで表示される分割セグメントフレーム時間の平均）
（１）
【００３０】
更新後の第２時間軸偏り値ｄ２’
＝（前のフレームの輝度の時間軸方向偏り補正処理後の第２時間軸偏り値ｄ２）
＋（処理フレームの第２のセグメントフレームで表示される分割セグメントフレーム時間）
−（処理フレームの各セグメントフレームで表示される分割セグメントフレーム時間の平均）
（２）
【００３１】
更新後の第３時間軸偏り値ｄ３’
＝（前のフレームの輝度の時間軸方向偏り補正処理後の第３時間軸偏り値ｄ３）
＋（処理フレームの第３のセグメントフレームで表示される分割セグメントフレーム時間）
−（処理フレームの各セグメントフレームで表示される分割セグメントフレーム時間の平均）
（３）
【００３２】
このように演算された時間軸偏り値でメモリ１５１に格納された時間軸偏り値を更新し、次のフレームにおいて時間軸偏り値が最も小さいセグメントフレームＳＧＦを、ピクセルの表示に用いるセグメントフレームＳＧＦとして選択することにより、広い面積で平均した輝度は各グループに属するセグメントフレーム間で均等に分散される。
【００３３】
次いで、図５の輝度の時間軸方向偏り補正処理について以下に説明する。
【００３４】
図５において、ステップＳ１では、１フレームの映像信号を入力する。ステップＳ２では、メモリ１５１に格納された時間軸偏り値ｄ１、ｄ２、ｄ３に基づいて、最小の時間軸偏り値を有するセグメントフレームを、入力された映像信号において用いるセグメントフレームとして選択する。
【００３５】
そしてステップＳ３では、選択されたセグメントフレームの情報を含む補正映像信号を生成して出力する。その後ステップＳ４では、ステップＳ３で出力した補正映像信号と式（１）〜式（３）を用いて時間軸偏り値ｄ１、ｄ２、ｄ３を計算し、メモリ１５１内に格納された時間軸偏り値を更新する。次いでステップＳ５では、次のフレームの映像信号があるか否かを判断し、ＮＯの場合は処理を終了し、ＹＥＳの場合はステップＳ１からの処理を再度実行する。
【００３６】
そして、変調信号発生回路１４０は、垂直同期信号に同期して、前記補正映像信号に従って変化するように光をオン／オフで強度変調する変調信号を発生して光変調素子１１０に出力する。また、変調信号発生回路１４０は、垂直同期信号に同期して補正映像信号に基づいて、情報を重畳するタイミングを示す信号を通信用変調器１３０に出力する。通信用変調器１３０は、情報を重畳するタイミングを示す信号のタイミングで、入力される通信用変調コードに従って光源をオン／オフ変調するための駆動信号を発生して光源部１００Ａの半導体レーザー駆動回路１０１に出力する。
【００３７】
半導体レーザー駆動回路１０１は、通信用変調器１３０からの、光源をオン／オフ変調するための駆動信号に従って、半導体レーザー１０２をオン／オフ制御することで駆動する。当該駆動に応答して、半導体レーザー１０２はレーザー光を、時分割切り替え波長変換素子１０３を介して光変調素子１１０に出力する。時分割切り替え波長変換素子１０３は、入力された垂直同期信号に同期して波長変換の特性を順次選択的に切り替えて、半導体レーザー１０２からの出力レーザー光を変換し又は変換しないで光変調素子１１０に出力する。光変調素子１１０は、変調信号発生回路１４０からの変調信号に従って、時分割切り替え波長変換素子１０３からの出力光をオン／オフ変調することで映像光を生成し、投射レンズ１２０を介してスクリーン１６０に投射することにより、スクリーン１６０上に映像１６１を表示する。
【００３８】
［１−３．効果等］
以上のように、本実施の形態において、プロジェクタ光源変調装置によれば、映像表示する隣接したピクセルの間で輝度の時間軸方向偏りを軽減する。これにより、広い面積で平均した時の輝度の周期的な変化の周波数を高め、人間が感じるフリッカーの発生なしに、光源を輝度変調して投影する映像に情報を重畳することが可能となる。
【００３９】
（実施の形態２）
図６は実施の形態２におけるプロジェクタ光源変調装置のブロック図を示す。図６において、実施の形態２におけるプロジェクタ光源変調装置は、図１の実施の形態１におけるプロジェクタ光源変調装置に比較して、以下の点が異なる。
（１）図１の光源部１００Ａに代えて、光源部１００Ｂを備えた。ここで、光源部１００Ｂでは、光源駆動回路６１０と、赤色光源６２１と、緑色光源６２２と、青色光源６２３とを備えて構成される。
【００４０】
光源駆動回路６１０は、通信用変調器１３０からの、光源をオン／オフ変調するための駆動信号に従って、赤色光源６２１、緑色光源６２２及び青色光源６２３をオン／オフ制御することで駆動する。当該駆動に応答して、赤色光源６２１、緑色光源６２２及び青色光源６２３は、対応する色の光を光変調素子１１０に出力する。
【００４１】
以上のように構成された実施の形態２におけるプロジェクタ光源変調装置によれば、実施の形態１におけるプロジェクタ光源変調装置と同様に作用効果を有する。
【００４２】
以上の実施の形態２において、赤色光源６２１と、緑色光源６２２と、青色光源６２３とを備えているが、本開示はこれに限らず、互いに異なる複数の色光源を用いてもよい。
【００４３】
（他の実施の形態）
以上のように、本開示において開示する技術の例示として、実施の形態１を説明した。しかしながら、本開示における技術はこれに限定されず、適宜変更、置換、付加、省略などを行った実施の形態にも適用可能である。また、上記実施の形態で説明した各構成要素を組み合わせて、新たな実施の形態とすることも可能である。そこで、以下では他の実施の形態を例示する。
【００４４】
さらに、以上の実施の形態では、光源変調により情報重畳を赤色に割り当てられた期間にのみ行っているが、この代わりに、緑色、青色を割り当てられた期間に情報の重畳を行ってもよい。また、異なる色を割り当てられた複数のセグメントフレームにおいて情報を重畳してもよい。
【００４５】
また、以上の実施の形態では、１フレームを３つのサブフレームに分割している。しかしながら、サブフレームの分割数は情報を重畳するサブフレームと情報を重畳しないサブフレームに分けることができればどのような数でもよい。例えば１フレームは２つ又は４つのサブフレームに分割されていてもよい。ただし、サブフレームの分割数が多いほどその時間は短くなり、情報を重畳するための１セグメントフレームＳＧＦが短くなることには注意せねばならない。
【００４６】
さらに、以上の実施の形態では、セグメントフレームをグループＣ１〜Ｃ３に分類しているが、この分類の数は１フレーム内のサブフレームの数に等しい値である。例えば１フレームが４つのサブフレームに分割されているならば、４つのセグメントフレームＳＧＦは順にグループＣ１〜Ｃ４に分類される。
【００４７】
また、以上の実施の形態では、プロジェクタ光源変調装置が映像光を投射するタイミングが隣接する３ピクセルの組を含む領域中で異なるサブフレームに分散するよう映像信号を補正している。しかしながら、ここでこの領域は、互いに近傍に位置するピクセルからなる限りどのような領域でもよい。例えば隣接する４つのピクセルを含む領域又は３×３の９つのピクセルを含む領域であってもよい。
【００４８】
以上のように、本開示における技術の例示として、実施の形態を説明した。またそのために、添付図面及び詳細な説明を提供した。
【００４９】
従って、添付図面及び詳細な説明に記載された構成要素の中には、課題解決のために必須となる構成要素だけでなく、上記技術を例示するために、課題解決のためには必須でない構成要素も含まれ得る。そのため、それらの必須ではない構成要素が添付図面や詳細な説明に記載されていることを理由に、直ちに、それらの必須ではない構成要素が必須であるとの認定をするべきではない。
【００５０】
また、上述の実施の形態は、本開示における技術を例示するためのものであるから、特許請求の範囲又はその均等の範囲において種々の変更、置換、付加、省略等を行うことができる。
【産業上の利用可能性】
【００５１】
本開示は、カメラ等の撮像装置を備えた例えばスマートホン等の電子機器が重畳された情報を読み取ることが可能な映像を、投影するプロジェクタの光源輝度変調によって生成することで、プロジェクタの表示映像及び通信情報の間に関連づけを行うことが可能なプロジェクタ光源変調装置に適用可能である。
【符号の説明】
【００５２】
１０１  半導体レーザー駆動回路
１０２  半導体レーザー
１０３  時分割切り替え波長変換素子
１１０  光変調素子
１２０  投射レンズ
１３０  通信用変調器
１４０  変調信号発生回路
１５０  輝度の時間軸方向偏り補正回路
１５１  メモリ
１６０  スクリーン
１６１  映像
２００  映像信号
２０１  ピクセル
２０２  隣接する３ピクセルの組
６１０  光源駆動回路
６２１  赤色光源
６２２  緑色光源
６２３  青色光源
【図１】
2019220920.tif 000003
【図２】
2019220920.tif 000004
【図３】
2019220920.tif 000005
【図４】
2019220920.tif 000006
【図５】
2019220920.tif 000007
【図６】
2019220920.tif 000008